(57)【要約】【課題】既知の信号変調システムは、位相が満足できるほどピュアな信号を発生できない。【解決手段】位相シフトキーイング（ＰＳＫ）変調により信号を変調するシステムは、トランスレータと位相変調システムとを含む。トランスレータはデータ信号を受け取り、そのデータ信号を制御信号に変換する。制御信号の数はデータ信号の数よりも大きい。位相変調システムは位相変調器を含む。各位相変調器は制御信号を受け取り、その制御信号により通信信号を変調する。【選択図】図１
2008187714.tif 000002
【特許請求の範囲】
【請求項１】
位相シフトキーイング（ＰＳＫ）変調により信号を変調するシステムであって、
複数のデータ信号を受け取り、前記複数のデータ信号を複数の制御信号に変換する、制御信号の数はデータ信号の数より大きいトランスレータと、
各々が、前記複数の制御信号のうちの一制御信号を受け取り、受け取った前記一制御信号により複数の通信信号のうちの一通信信号をＰＳＫ変調する複数の位相変調器を有する、前記トランスレータに結合した位相変調システムとを有するシステム。
【請求項２】
各位相変調器は、
第１の位相を遅延させる位相遅延器と、
実質的に前記第１の位相を負にした第２の位相を遅延させる負位相遅延器とを有する、請求項１に記載のシステム。
【請求項３】
前記位相変調システムは、前記複数の通信信号の少なくとも一部を位相シフトして、前記複数の位相変調器に対して相異なる位相を生成する複数の位相フィルタをさらに有する、請求項１に記載のシステム。
【請求項４】
位相シフトキーイング（ＰＳＫ）変調により信号を変調する方法であって、
複数のデータ信号を受け取る段階と、
前記複数のデータ信号を複数の制御信号に変換する、制御信号の数はデータ信号の数より大きい段階と、
複数の位相変調のうちの各位相変調器について、前記複数の制御信号のうちの一制御信号を受け取る段階と、受け取った前記一制御信号により複数の通信信号のうちの一通信信号をＰＳＫ変調する段階とを繰り返す段階とを有する方法。
【請求項５】
位相シフトキーイング（ＰＳＫ）により信号を変調する、コンピュータ読み取り可能媒体に化体されたロジックであって、
複数のデータ信号を受け取る段階と、
前記複数のデータ信号を複数の制御信号に変換する、制御信号の数はデータ信号の数より大きい段階と、
複数の位相変調のうちの各位相変調器について、前記複数の制御信号のうちの一制御信号を受け取る段階と、受け取った前記一制御信号により複数の通信信号のうちの一通信信号をＰＳＫ変調する段階とを繰り返す段階とを有するロジック。
【請求項６】
位相シフトキーイング（ＰＳＫ）変調により信号を変調するシステムであって、
複数のデータ信号を受け取る手段と、
前記複数のデータ信号を複数の制御信号に変換する、制御信号の数はデータ信号の数より大きい手段と、
複数の位相変調のうちの各位相変調器について、前記複数の制御信号のうちの一制御信号を受け取る段階と、受け取った前記一制御信号により複数の通信信号のうちの一通信信号をＰＳＫ変調する段階とを繰り返す手段とを有するシステム。
【請求項７】
位相シフトキーイング（ＰＳＫ）変調により信号を変調するシステムであって、
複数のデータ信号を受け取り、前記複数のデータ信号を複数の制御信号に変換し、制御信号の数はデータ信号の数より大きく、データ信号の数はｐであり、ｐは２以上であり、制御信号の数は２ｐ／２であるトランスレータと、
１つ以上の光信号を分岐して前記複数の通信信号を生成する複数のスプリッタと、
各々が、他の位相変調器とは位相ペアで変調し、前記複数の制御信号のうちの一制御信号を受け取り、受け取った前記一制御信号により前記複数の通信信号のうちの一通信信号をＰＳＫ変調する複数の位相変調器を有する、
前記トランスレータに結合した位相変調システムとを有するシステム。
【発明の詳細な説明】
【技術分野】
【０００１】
本発明は、信号通信に関し、より具体的には２ｎ−ＰＳＫ変調による信号変調に関する。
【背景技術】
【０００２】
信号は位相シフトキーイングを用いて変調できる。ＰＳＫ変調においては、信号の位相の変化を用いてデータを表す。多値ＰＳＫ変調においては、１シンボルにつき複数のビットを送信でき、より低いシンボルレートでより多くのデータを送信できる。例えば、４−ＰＳＫ変調は１シンボルあたり２ビットを送信でき、８−ＰＳＫ変調は１シンボルあたり３ビットを送信でき、１６−ＰＳＫ変調は１シンボルあたり４ビットを送信できる。
【０００３】
多値ＰＳＫ通信では通信システムに特定の要件が課せられる。例えば、多値ＰＳＫ通信は、ピュア（pure）な位相で信号を通信することにより改善される。一般的に、位相がピュアなほど信号の立ち上がり時間と立ち下がり時間は短く、位相がピュアな信号の立ち上がり時間と立ち下がり時間は本質的にはゼロである。しかし、既知の信号変調システムは、位相が満足できるほどピュアな信号を発生できない。
【発明の開示】
【課題を解決するための手段】
【０００４】
本発明によると、２ｎ−ＰＳＫ変調により信号を変調する従来の方法に伴う不利益と問題を小さくまたは無くすことができる。
【０００５】
本発明の一実施形態では、位相シフトキーイング（ＰＳＫ）変調により信号を変調するシステムは、トランスレータと位相変調システムとを含む。トランスレータはデータ信号を受け取り、そのデータ信号を制御信号に変換する。制御信号の数はデータ信号の数よりも大きい。位相変調システムは位相変調器を含む。各位相変調器は制御信号を受け取り、その制御信号により通信信号を変調する。
【０００６】
本発明の実施形態は１つ以上の技術的有利性を提供する。一実施形態の技術的有利性は、トランスミッタが、よりピュアな位相を有する信号を生成する２本アーム位相変調器を含むことである。トランスレータはいくつかのデータ信号を位相変調器に合ったいくつかの制御信号に変換する。
【０００７】
本発明の実施形態には、上記の技術的な有利性を含まないもの、一部を含むもの、すべてを含むものがある。図面、詳細な説明、及び特許請求の範囲に基づき、当業者には容易に１つ以上の技術的な有利性が明らかとなるであろう。
【０００８】
本発明とその特徴及び優位性をよりよく理解してもらうため、添付した図面を参照しつつ以下に説明する。
【発明を実施するための最良の形態】
【０００９】
本発明の実施形態とその有利性は、図１乃至図４を参照してよく理解される。図面において、同じ参照符号は同一または対応する要素を示している。
【００１０】
図１は、位相シフトキーイング（ＰＳＫ）変調による信号通信システム１０の一実施形態を示す図である。この実施形態では、システム１０のトランスミッタは、満足いくほどピュア（pure）な位相を有する信号を生成する２本アーム（two-arm）の位相変調器を含む。このトランスミッタは、ある数のデータ信号を、位相変調器の数に合ったいくつかの制御信号に変換するトランスミッタを含む。
【００１１】
一実施形態では、システム１０は信号を通信する。信号は光のパルスとして送信される光信号であってもよい。例えば、光信号の波長は約１５５０ナノメートルであり、データレートは毎秒１０ギガビット、２０ギガビット、４０ギガビット、またはそれ以上である。信号は、音声、データ、オーディオ、ビデオ、マルチメディアその他の情報、またはこれらの任意の組合せ等の任意の情報を通信ことができる。
【００１２】
例示した実施形態では、システム１０はトランスミッタ２０を含む。このトランスミッタ２０はレシーバ２８とリンク２４で結合している。この実施形態では、トランスミッタ２０はＰＳＫ変調により信号を変調し、データを信号にエンコード（encode）する。トランスミッタ２は、リンク２４を介してその信号をレシーバ２８に送信する。レシーバ２８はＰＳＫ復調によりその信号を復調して、信号にエンコードされたデータを読み出す。
【００１３】
一実施形態では、ＰＳＫ変調は差分ＰＳＫ（ＤＰＳＫ）変調を意味する。ＤＰＳＫ変調では、連続するシンボル間の位相シフトはビットを表す。ｎ位相シフトキーイング（ｎ−ＰＳＫ）変調では、ｎ個の相異なる位相シフトを使用してシンボルごとにｐビットをエンコードする。ここでｎ＝２ｐである。例えば、差分２値ＰＳＫ（ＤＢＰＳＫ）は２つの位相シフトを使用してシンボルごとに１ビットをエンコードし、差分４相位相シフトキーイングは４つの位相シフトを使用してシンボルごとに２ビットをエンコードする。
【００１４】
例示した実施形態では、トランスミッタ２０は、図示したように結合したプリコーダ３０と、２ｐ−ＰＳＫ変調器３４とを含む。プリコーダ３０はデータｄｉをプリコード（precode）し、データｄｉを表すデータ信号ａｉを生成する。プリコード（precoding）には、レシーバ２８において信号を復調後に回復できるように、データｄｉとデータ信号ａｉを結合することを伴う。プリコーダ３０は、ＯＲ、ＡＮＤ、ＸＯＲ、遅延その他の論理ゲートを有してもよい。
【００１５】
２ｐ−ＰＳＫ変調器３４は、２ｐ−ＰＳＫ変調により信号を変調して信号にデータｄｉをエンコードする。ＰＳＫ変調器３４はトランスレータ３８と位相変調システム４２とを含む。トランスレータ３８は、データ信号ａｉを制御信号に変換（translate）する。その制御信号が変調を制御してデータｄｉをエンコードする。
【００１６】
一実施形態では、制御信号は位相変調システム４２の特定の位相変調器の変調を制御する。この実施形態では、位相変調器の数はデータ信号の数より大きく、そのため、制御信号の数はデータ信号の数より大きい。例えば、データ信号の数をｐとすると、制御信号の数は２ｐ／２である。従って、トランスレータ３８はデータ信号の数を位相変調器の数に合った制御信号の数に変換する。
【００１７】
位相変調システム４２は、制御信号ａｉにより通信信号を変調し、データｄｉを通信信号にエンコードする。通信信号は送信用に結合される。位相変調システム４２は位相変調器を含む。各位相変調器は制御信号により通信信号を変調する。各位相変調器は、他の位相変調器が使用する位相のペアとは異なる位相のペアでエンコードしてもよく、それにより相異なる位相でのエンコーディングを行う。
【００１８】
リンク２４はトランスミッタ２０からレシーバ２８に信号を伝送する。リンク２４は信号を伝送する任意の適切なリンクを含み、例えば、リンク２４は光信号を伝送する光ファイバを含む。
【００１９】
レシーバ２８はトランスミッタ２０から受信した信号を復調する。例示した実施形態では、レシーバ２８はＰＳＫ復調器４６を含む。ＰＳＫ復調器４６はＰＳＫ復調による信号を復調し、受信信号により伝送されたデータｄｉを読み出す。
【００２０】
システム１０の構成要素は、ロジック、インターフェイス、メモリ、またはこれらの任意の適切な組合せを含む。ロジック（logic）とは、ハードウェア、ソフトウェア、その他のロジック、またはこれらの任意の適切な組合せをいう。ロジックは装置の動作を管理するものであってもよく、例えばプロセッサを含んでいてもよい。インターフェイスは、入力を受け取り、出力の送り出し、その入出力を好適に処理し、またはこれらの組合せを行うことができ、１つ以上のポート、変換ソフトウェア、またはこれら両方を含む。メモリは、情報を格納してその読み出し、ランダムアクセスメモリ（ＲＡＭ）、リードオンリメモリ（ＲＯＭ）、磁気ドライブ、ディスクドライブ、コンパクトディスク（ＣＤ）ドライブ、デジタルビデオディスク（ＤＶＤ）ドライブ、リムーバブルメディアストレージ、その他の任意の好適なストレージメディア、またはこれらの任意の組合せを含む。
【００２１】
本発明の範囲から逸脱することなく、システム１０に修正、追加、または削除をすることができる。システム１０の構成要素は具体的な必要性に応じて一体化されたり、分離されたりしてもよい。さらに、システム１０の動作を実行する装置は、これより多くても少なくてもよいし、他の構成要素であってもよい。また、システム１０の動作の実行は、いかなる好適なロジックを用いて行われてもよい。本明細書では、「各」とは、集合の各要素、または集合の部分集合の各要素を指す。
【００２２】
図２は、８−ＰＳＫ変調により信号を通信する８−ＰＳＫトランスミッタ１２０の一例を示す。例示した実施形態では、トランスミッタ１２０はプリコーダ３０を含み、このプリコーダ３０は８−ＰＳＫ変調器１３４と結合している。プリコーダ３０はデータｄｉをプリコード（precode）し、データｄｉを表すデータ信号ａｉを生成する。ここで、ｉ＝１，２，３である。プリコーダ３０は図１を参照して説明したように動作する。
【００２３】
８−ＰＳＫ変調器１３４は８−ＰＳＫ変調により信号を変調する。例示した実施形態では、８−ＰＳＫ変調器１３４はトランスレータ１３８と位相変調システム１４２とを含む。トランスレータ１３８はデータ信号ａｉを制御信号ｂｋに変換（translate）する。ここでｋ＝１，２，．．．，４である。トランスレータ１３８は任意の適切な関数を用いて信号を変換する。一実施形態では、トランスレータ１３８は次の関数を使用する：
ｂ１  ＝  ａ１
ｂ２  ＝  ａ２
ｂ３  ＝  ａ２ａ３′  +  ａ１ａ３
ｂ４  ＝  ａ１′ａ３′  +  ａ２ａ３
位相変調システム１４２は、トランスレータ１３８から受け取った制御信号ｂｋにより、通信信号を変調する。位相変調システム１４２は、８−ＰＳＫ変調により信号を変調する任意の適切な構成要素を有してもよい。例示した実施形態では、位相変調システム１４２は、図示したように結合された光源１５０と、スプリッタ１５４と、位相シフタ１６０と、位相変調器１６４と、カップラ１６８とを含む。
【００２４】
光源１５０は信号を発生し、この信号から通信信号を生成して、データｄｉでエンコードする。一実施形態では、光源１５０は連続波の光ビームを放射して、その光ビームを１つ以上の信号に分岐してもよい。
【００２５】
スプリッタ１５４は信号をスプリットして、ｎ−ＰＳＫ変調のためのｎ本の通信信号を生成する。例示した実施形態では、スプリッタ１５４ａ−ｇは信号を分岐して、８−ＰＳＫ変調のための８本の通信信号を生成する。
【００２６】
位相シフタ１６０は、通信信号の少なくとも一部の位相をシフトして、位相変調器１６４のために位相が異なる通信信号を生成する。一実施形態では、ある位相変調器１６４はある位相の信号を受け取る。例示した実施形態では、位相シフタ１６０ａ−ｃは３つの信号の位相をシフトして、相異なる位相を有する４本の信号を生成する。
【００２７】
位相変調器１６４は、制御信号ｂｋにより通信信号を変調して、制御信号ｂｋが伝送するデータｄｉをエンコードする。位相変調器１６４は、実質的にピュア（pure）な位相を有する信号を生成できる２本アーム位相変調器、例えばマッハツェンダー変調器を有していてもよい。
【００２８】
位相変調器１６４は、第１の信号を第１の位相で変調し、第２の信号を第２の位相で変調する。一例では、第１の位相と第２の位相の差は実質的にπである。例示した実施形態では、位相変調器１６４は位相遅延器１７４と負位相遅延器１７８とを有する。位相遅延器１７４は第１の位相を遅延して第１の通信信号を変調する。負位相遅延器１７８は、実質的に第１の位相を負にしたものである第２の位相を遅延させることにより、第２の通信信号を変調する。
【００２９】
カップラ１６８は、レシーバ２８に送信するために、エンコードされた通信信号を結合する。例示した実施形態では、カップラ１６８ａ−ｇは位相モジュレータ１６４からの信号を結合する。カップラ１６８ｇから出力される信号がレシーバ２８に送信される。
【００３０】
例示した実施形態では、位相変調器１６４ａ−ｂはダイアグラム１８２ａに示した位相で変調し、位相変調器１６４ｃ−ｄはダイアグラム１８２ｂに示した位相で変調する。ダイアグラム１８６は、結果として得られる信号において変調されている位相ｑπ／８（ｑ＝０，１，２，．．．，７）を示している。ダイアグラム１８６により、データ信号（ａ１，ａ２，ａ３）からのデータを、制御信号（ｂ１，ｂ２）（ｂ３，ｂ４）である位相でエンコードする。
【００３１】
本発明の範囲から逸脱することなく、トランスミッタ１２０に修正、追加、または削除をすることができる。トランスミッタ１２０のコンポーネントは具体的な必要性に応じて一体化されたり、分離されたりしてもよい。さらに、トランスミッタ１２０の動作を実行する構成要素は、これより多くても少なくてもよいし、他の構成要素であってもよい。また、トランスミッタ１２０の動作の実行は、いかなる好適なロジックを用いて行われてもよい。
【００３２】
図３は、１６−ＰＳＫ変調により信号を通信する１６−ＰＳＫトランスミッタ２２０の一例を示す。例示した実施形態では、トランスミッタ２２０はプリコーダ３０を含み、このプリコーダ３０は１６−ＰＳＫ変調器２３４と結合している。プリコーダ３０はデータｄｉをプリコード（precode）し、データｄｉを表すデータ信号ａｉを生成する。ここで、ｉ＝１，２，３，４である。プリコーダ３０は図１を参照して説明したように動作する。
【００３３】
１６−ＰＳＫ変調器２３４は１６−ＰＳＫ変調により信号を変調する。例示した実施形態では、１６−ＰＳＫ変調器２３４はトランスミッタ２３８と位相変調システム２４２とを含む。トランスレータ２３８はデータ信号ａｉを制御信号ｂｋに変換（translate）する。ここでｋ＝１，２，．．．，８である。トランスレータ２３８は任意の適切な関数を用いて信号を変換する。一実施形態では、トランスレータ２３８は次の関数を使用する：
ｂ１  ＝  ａ１
ｂ２  ＝  ａ２
ｂ３  ＝  ａ２ａ３′  +  ａ１ａ３
ｂ４  ＝  ａ１′ａ３′  +  ａ２ａ３
ｂ５  ＝  ａ２′ａ３ａ４  +  ａ１(ａ３′  +  ａ４′)
ｂ６  ＝  ａ１ａ３ａ４  +  ａ２(ａ３′  +  ａ４′)
ｂ７  ＝  ａ２ａ３′ａ４′  +  ａ１(ａ３  +  ａ４)
ｂ８  ＝  ａ１′ａ３′ａ４′  +  ａ２(ａ３  +  ａ４)
位相変調システム２４２は、トランスレータ２３８から受け取った制御信号ｂｋにより、通信信号を変調する。位相変調システム２４２は、１６−ＰＳＫ変調により信号を変調する任意の適切な構成要素を有してもよい。例示した実施形態では、位相変調システム２４２は、図示したように結合された光源１５０と、スプリッタ１５４と、位相シフタ１６０と、位相変調器１６４と、カップラ１６８とを含む。光源１５０、スプリッタ１５４、位相シフタ１６０、位相変調器１６４、及びカップラ１６８は、図２を参照して説明したように動作してもよいが、８−ＰＳＫ変調ではなく１６−ＰＳＫ変調で動作する。
【００３４】
例示した実施形態では、位相変調器１６４ａ−ｄはダイアグラム２８２ａに示した位相で変調し、位相変調器１６４ｅ−ｈはダイアグラム２８２ｂに示した位相で変調する。ダイアグラム２８６は、結果として得られる信号において変調されている位相ｑπ／１６（ｑ＝０，１，２，．．．，１５）を示している。ダイアグラム２８６により、データ信号（ａ１，ａ２，ａ３，ａ４）からのデータを、制御信号（ｂ１，ｂ２，ｂ３，ｂ４）（ｂ５，ｂ６，ｂ７，ｂ８）により、ある位相でエンコードする。
【００３５】
本発明の範囲から逸脱することなく、トランスミッタ２２０に修正、追加、または削除をすることができる。トランスミッタ２２０のコンポーネントは具体的な必要性に応じて一体化されたり、分離されたりしてもよい。さらに、トランスミッタ２２０の動作を実行する構成要素は、これより多くても少なくてもよいし、他の構成要素であってもよい。また、トランスミッタ２２０の動作の実行は、いかなる好適なロジックを用いて行われてもよい。
【００３６】
図４は、ＰＳＫ変調による信号通信方法の一実施形態を示すフローチャートである。この方法は図２のトランスミッタ１２０または図３のトランスミッタ２２０により実行できる。
【００３７】
ステップ３１０から３１８は、トランスミッタ１２０、２２０のプリコーダ３０とトランスレータ１３８、２３８が実行する。ステップ３１０において、トランスミッタ２０がデータｄｉを受け取る。ステップ３１４において、プリコーダ３０はデータｄｉをプリコード（precode）し、データ信号ａｉを生成する。ステップ３１８において、トランスレータ１３８、２３８がデータ信号ａｉを変換（translate）し、コマンド信号ｂｋを生成する。
【００３８】
ステップ３２２と３３０は、トランスミッタ１２０、２２０の位相変調システム１４２、２４２により実行される。ステップ３２２において、位相変調システム１４２、２４２の光源１５０が通信信号を発生する。ステップ３３０において、各位相変調器１６４の通信信号を生成するために、通信信号を分岐し、位相シフトする。各信号は異なる位相を有する。スプリッタ１５４が信号を分岐して、位相シフタ１６０が信号をシフトする。
【００３９】
ステップ３３４乃至３４６は各位相変調器１６４が実行する。ステップ３３４において、位相変調器１６４がコマンド信号ｂｋを受け取る。ステップ３３８において、位相遅延器１７４がコマンド信号ｂｋにより、第１の位相で第１の通信信号を変調する。ステップ３４２において、負位相遅延器１７８がコマンド信号ｂｋにより、負の位相で第２の通信信号を変調する。ステップ１６４において、次の位相変調器１６４があれば、ステップ３３４に戻り、次の位相変調器１６４が次のコマンド信号を受け取る。位相変調器１６４はステップ３３４乃至３４６を同時に実行してもよいし、相異なる時間に実行してもよい。
【００４０】
ステップ３５０において、カップラ１６８が変調された通信信号を結合する。ステップ３５４において、結合された通信信号をレシーバに送信する。結合した通信信号を送信して、この方法は終了する。
【００４１】
本発明の範囲から逸脱することなく、本方法に修正、追加、または削除をすることができる。本方法に含まれるステップはこれより多くても少なくてもよく、他のステップが含まれてもよい。また、ステップを好適な任意の順序で実行してもよい。
【００４２】
本発明の実施形態は１つ以上の技術的有利性を提供する。一実施形態の技術的有利性は、トランスミッタが、よりピュアな位相を有する信号を生成する２本アーム位相変調器を含むことである。トランスレータはいくつかのデータ信号を位相変調器に合ったいくつかの制御信号に変換する。
【００４３】
本開示を実施形態とそれに一般的に関連づけられた方法とに関して説明したが、これらの実施形態及び方法の変形や置き換えは当業者には明らかである。従って、この開示は上記の実施形態の説明には限定されない。添付した特許請求の範囲に記載した本開示の精神と範囲から逸脱せずに、その他の変更、置き換え、改変も可能である。
【００４４】
本発明の一部の実施形態を整理すると以下の通りである。
（付記１）  位相シフトキーイング（ＰＳＫ）変調により信号を変調するシステムであって、
複数のデータ信号を受け取り、前記複数のデータ信号を複数の制御信号に変換する、制御信号の数はデータ信号の数より大きいトランスレータと、
各々が、前記複数の制御信号のうちの一制御信号を受け取り、受け取った前記一制御信号により複数の通信信号のうちの一通信信号をＰＳＫ変調する複数の位相変調器を有する、前記トランスレータに結合した位相変調システムとを有するシステム。
（付記２）  データ信号の数はｐであり、ｐは２以上であり、
制御信号の数は２ｐ／２である、付記１に記載のシステム。
（付記３）  各位相変調器は他の位相変調器とは異なる位相ペアで変調する、付記１に記載のシステム。
（付記４）
各位相変調器は、
第１の位相を遅延させる位相遅延器と、
実質的に前記第１の位相を負にした第２の位相を遅延させる負位相遅延器とを有する、付記１に記載のシステム。
（付記５）  前記位相変調システムは、前記複数の通信信号の少なくとも一部を位相シフトして、前記複数の位相変調器に対して相異なる位相を生成する複数の位相フィルタをさらに有する、付記１に記載のシステム。
（付記６）  前記位相変調システムは、変調された前記複数の通信信号を結合する複数のカップラをさらに有する、付記１に記載のシステム。
（付記７）  前記位相変調システムは、１つ以上の光信号を分岐して前記複数の通信信号を生成する複数のスプリッタをさらに有する、付記１に記載のシステム。
（付記８）  位相シフトキーイング（ＰＳＫ）変調により信号を変調する方法であって、
複数のデータ信号を受け取る段階と、
前記複数のデータ信号を複数の制御信号に変換する、制御信号の数はデータ信号の数より大きい段階と、
複数の位相変調のうちの各位相変調器について、前記複数の制御信号のうちの一制御信号を受け取る段階と、受け取った前記一制御信号により複数の通信信号のうちの一通信信号をＰＳＫ変調する段階とを繰り返す段階とを有する方法。
（付記９）  データ信号の数はｐであり、ｐは２以上であり、
制御信号の数は２ｐ／２である、付記８に記載の方法。
（付記１０）  各位相変調器は、他の位相変調器とは異なる位相ペアで変調することにより前記複数の通信信号のうちの前記一通信信号をＰＳＫ変調する、付記８に記載の方法。
（付記１１）  前記複数の通信信号の前記一通信信号をＰＳＫ変調する段階は、
第１の位相を遅延する段階と、
実質的に前記第１の位相を負にした第２の位相を遅延する段階とをさらに有する、付記８に記載の方法。
（付記１２）  前記複数の位相変調のうちの各位相変調器について、前記複数の通信信号の少なくとも一部位相シフトして、前記複数の位相変調器に対して相異なる位相を生成する段階をさらに有する、付記８に記載の方法。
（付記１３）  前記複数の位相変調のうちの各位相変調器について、変調された前記複数の通信信号を結合する段階をさらに有する、付記８に記載の方法。
（付記１４）  前記複数の位相変調のうちの各位相変調器について、１つ以上の光信号を分岐して、前記複数の通信信号を生成する段階をさらに有する、付記８に記載の方法。
（付記１５）  位相シフトキーイング（ＰＳＫ）により信号を変調する、コンピュータ読み取り可能媒体に化体されたロジックであって、
複数のデータ信号を受け取る段階と、
前記複数のデータ信号を複数の制御信号に変換する、制御信号の数はデータ信号の数より大きい段階と、
複数の位相変調のうちの各位相変調器について、前記複数の制御信号のうちの一制御信号を受け取る段階と、受け取った前記一制御信号により複数の通信信号のうちの一通信信号をＰＳＫ変調する段階とを繰り返す段階とを有するロジック。
（付記１６）  データ信号の数はｐであり、ｐは２以上であり、
制御信号の数は２ｐ／２である、付記１５に記載のロジック。
（付記１７）  各位相変調器は、他の位相変調器とは異なる位相ペアで変調することにより前記複数の通信信号のうちの前記一通信信号をＰＳＫ変調する、付記１５に記載のロジック。
（付記１８）  前記複数の通信信号のうちの前記一通信信号をＰＳＫ変調する段階は、
第１の位相を遅延する段階と、
実質的に前記第１の位相を負にした第２の位相を遅延する段階とをさらに有する、付記１５に記載のロジック。
（付記１９）  前記複数の位相変調のうちの各位相変調器について、前記複数の通信信号の少なくとも一部位相シフトして、前記複数の位相変調器に対して相異なる位相を生成する段階をさらに有する、付記１５に記載のロジック。
（付記２０）  前記複数の位相変調のうちの各位相変調器について、変調された前記複数の通信信号を結合する段階をさらに有する、付記１５に記載のロジック。
（付記２１）  前記複数の位相変調のうちの各位相変調器について、１つ以上の光信号を分岐して、前記複数の通信信号を生成する段階をさらに有する、付記１５に記載のロジック。
（付記２２）  位相シフトキーイング（ＰＳＫ）変調により信号を変調するシステムであって、
複数のデータ信号を受け取る手段と、
前記複数のデータ信号を複数の制御信号に変換する、制御信号の数はデータ信号の数より大きい手段と、
複数の位相変調のうちの各位相変調器について、前記複数の制御信号のうちの一制御信号を受け取る段階と、受け取った前記一制御信号により複数の通信信号のうちの一通信信号をＰＳＫ変調する段階とを繰り返す手段とを有するシステム。
（付記２３）  位相シフトキーイング（ＰＳＫ）変調により信号を変調するシステムであって、
複数のデータ信号を受け取り、
前記複数のデータ信号を複数の制御信号に変換し、制御信号の数はデータ信号の数より大きく、
データ信号の数はｐであり、ｐは２以上であり、
制御信号の数は２ｐ／２であるトランスレータと、
１つ以上の光信号を分岐して前記複数の通信信号を生成する複数のスプリッタと、
各々が、他の位相変調器とは位相ペアで変調し、
前記複数の制御信号のうちの一制御信号を受け取り、
受け取った前記一制御信号により前記複数の通信信号のうちの一通信信号をＰＳＫ変調する複数の位相変調器を有する、前記トランスレータに結合した位相変調システムとを有するシステム。
【図面の簡単な説明】
【００４５】
【図１】位相シフトキーイング（ＰＳＫ）変調による信号通信システムの一実施形態を示す図である。
【図２Ａ】８−ＰＳＫトランスミッタの一例を示す図である。
【図２Ｂ】８−ＰＳＫトランスミッタの一例を示す図である。
【図３Ａ】１６−ＰＳＫトランスミッタの一例を示す図である。
【図３Ｂ】１６−ＰＳＫトランスミッタの一例を示す図である。
【図４】ＰＳＫ変調による信号通信方法の一実施形態を示すフローチャートである。
【符号の説明】
【００４６】
１０  システム
２０  トランスミッタ
２４  リンク
２８  レシーバ
３０  プリコーダ
３４  ２ｎ−ＰＳＫ変調器
３８  トランスレータ
４２  位相変調システム
４６  ２ｎ−ＰＳＫ復調器
【図１】
2008187714.tif 000003
【図２Ａ】
2008187714.tif 000004
【図２Ｂ】
2008187714.tif 000005
【図３Ａ】
2008187714.tif 000006
【図３Ｂ】
2008187714.tif 000007
【図４】
2008187714.tif 000008